(57)【要約】【課題】  ルアー本体に付けた溝の中にチューブ、ライン、フック等で構成された、フリーフックシステムを接続、収納して、魚が掛かった時、溝の中に一時的に固定されていたフリーフックシステムが、溝から外れて自由に動く事により、フックに掛かった魚がバレるのを防ぎ、また根掛かりやルアーのロストを少なくした、釣り場の環境と魚に優しく、フッキング率に優れた釣具を提供する。【解決手段】  ルアー本体１に溝２を作り、その中に金具３を付ける。  ライン４を通したチューブ５を、フロントフック６のアイに通し、リアフック７をライン４に接続したフリーフックシステムを、金具３に接続して、溝２に収納して、一時的に固定したことを特徴とする。【選択図】  図１
2005080657.tif 000002
【特許請求の範囲】
【請求項１】
（イ）  ルアー本体（１）に、溝（２）を作り、その中に金具（３）を付ける。
（ロ）  ライン（４）を通したチューブ（５）を、フロントフック（６）のアイに通し、リアフック（７）をライン（４）に接続したフリーフックシステム（１３）を、金具（３）に接続する。
以上のごとく構成された、フリーフックシステム・ルアー。
【請求項２】
（イ）  ルアー本体（１）に、溝（２）を作り、メインライン（８）をルアー本体（１）に付ける所から、溝（３）に穴（９）を通し、金属製のチューブアイ（１０）を入れて固定する。
（ロ）  メインライン（８）を、チューブアイ（１０）に入れ、溝（２）側の穴（９）から出し、ラインストッパー（１１）、チューブ（５）に通し、フロントフック（６）のアイに、チューブ（５）を通し、リアフック（７）をメインライン（８）に接続したフリーフックシステム２（１４）。
以上のごとく構成された、フリーフックシステム・ルアー。
【請求項３】
（イ）  ルアー本体（１）に、溝（２）を作り、メインライン（８）をルアー本体（１）に付ける所から、溝（２）に穴（９）を通し、金属製のチューブアイ（１０）、を入れて固定する。
（ロ）  メインライン（８）を、チューブアイ（１０）に入れ、溝（２）側の穴（９）から出し、スプリットリング（１２）に、結び付ける。
（ハ）  チューブ（５）に、ライン（４）を通し両端をループアイにして、フロントフック（６）のアイに、チューブ（５）を通して、ループアイにリアフック（７）を接続したフリーフックシステム３（１５）を、スプリットリング（１２）に接続する。
以上のごとく構成された、フリーフックシステム・ルアー。
【発明の詳細な説明】
【発明の詳細な説明】
【技術分野】
【０００１】  この発明は、ルアー本体に付けた溝の中に、チューブ、ライン、フック等で構成された、フリーフックシステムを接続、収納し、魚が掛かったとき、溝の中に一時的に固定されていた、フリーフックシステムが溝から外れて自由に動く事により、フックに掛かった魚がバレるのを防ぎ、またフリーフックシステムを釣り場の状況や、対象魚に合わせて簡単に交換出来る様にした、釣り場の環境と魚に優しく、フッキング率に優れた、フリーフックシステム・ルアーに関するものである。
【背景技術】
【０００２】（イ）  従来は、ルアー本体にフックを付けるアイを固定しているために、フックはスプリットリングを介して接続していたので、魚が掛かった時フックは、ルアー本体のアイ、スプリットリング、フックの範囲でしか動かないため、ルアー本体やルアー重量の影響により、魚が一瞬フックには掛かるが、すぐにバレてしまったり、完全にフックに掛かった魚がファイト中に暴れると、バレる事が多く発生していた。
（ロ）  従来は、ルアー本体の動きの影響により、魚が掛かっていなくてもフックは、ルアー本体のアイとスプリットリング、フックの大きさの範囲で動くために、魚の口以外にフックが掛かる、スレ掛りが発生したり、障害物に根掛かりして、ルアーを回収出来なくなるトラブルが多く発生していた。
（ハ）  従来は、ルアー本体の動きの影響により、魚が掛かっていなくてもフックは、ルアー本体のアイとスプリットリング、フックの大きさの範囲で動くために、魚の口にフックが掛かる時、フックの針先の方向が安定しないので確実にフッキングしずらかった。
（ニ）  従来は、スプリットリングを大きい物に換えたり、フックのアイを大きくしたりして、バレることを防ぐ様にすると、フックがルアー本体やラインと絡んだり、二つ以上フックのあるルアーでは、フックどおしが絡んだり、魚の口に掛かったフック以外の、遊んでいるフックが魚体を傷付けたり、又障害物の多いところでは、障害物に根掛かりしやすく、ルアーを回収出来なくなるトラブルが発生していた。
（ホ）  従来は、固定式ウエイトのルアーや、サイレント仕様の重心移動ルアーを使ってもルアーを動かすと、フックを付けるアイとスプリットリング、それとフックのアイは、金属どおしで触れ合い、大きな音がしていた、またルアー本体にもフックが当たり音がしていたので、プレッシャーの高い釣り場では、魚が警戒してルアーの性能を、生かせていなかった。
（ヘ）  従来は、二つ以上フックのあるルアーでは、ファイト中やランディングした時、魚の口に掛かったフック以外の遊んでいるフックが、魚の目やエラなどに刺さり、魚体を傷付ける事や、フックを外していると、他のフックが指に刺さる事があり、素早く効果的なリリースが、出来なかった。
（ト）  従来は、ルアーを魚に飲まれると、口の奥の方にフックが掛かり、フックを外すとき、ルアーの本体がじゃまで時間が掛かり、素早く効果的なリリースが、出来なかった。
（チ）  従来は、スプリットリングやフックの交換に、スプリットプライヤー等を使って交換しなければ、うまくできなかった。
（リ）  従来は、障害物の多い所で釣りをする時、トリプルフックをシングルフックや、小さなサイズのフックにしたり、フックの数を減らしたり、するしか方法がなく、根掛かりが多発しルアーを回収できないと、釣り場の環境と、釣り人の経済に、ダメージを与えていた。
【発明が解決しようとする課題】
【０００３】本発明は、従来の欠点をなくすために
（イ）  魚が掛かるまではフックが動かず、魚の口にフックが掛かるとルアー本体の影響を受けないで、フックが動く方法を課題として研究を進めた。
（ロ）  ルアー本体にフックを付けるアイが固定されていたのを、自由に動く様に、ルアー本体に接続する方法を課題として研究を進めた。
（ハ）  フックがルアー本体やラインと絡んだり、二つ以上フックのある、ルアーでは、フックどおしが絡むのを防ぐ方法を課題として研究を進めた。
（ニ）  フックを付けるアイとスプリットリング、それとフックのアイは、金属どおしで触れ合い、大きな音がしていた、またルアー本体にもフックが当たり音がしていたのを防ぐ方法を課題として研究を進めた。
（ホ）  二つ以上フックのあるルアーでは、魚の口に掛かったフック以外の遊んでいるフックが、魚の目やエラなどに刺さり、魚体を傷付ける事や、フックを外していると、他のフックが指に刺さるのを防ぐ方法を課題として研究を進めた。
（ヘ）  スプリットリングやフックの交換が、簡単にできる方法を課題として研究を進めた。
（ト）  障害物の多い所で釣りをする時、根掛かりしても、ルアーを回収できる方法を課題として研究を進めた。
【課題を解決するための手段】
【０００４】請求項１の説明
（イ）  従来ルアー本体に固定していたフックアイを廃止して、図２の様に、ルアー本体（１）に動く様にしたフリーフックシステム（１３）の、チューブ（５）が入る長さ、幅、深さの溝（２）を作る。
（ロ）  図２  の様に、溝（２）はフリーフックシステム（１３）を出し入れする口は、チューブ（５）の直径より狭くして、溝（２）の内側は、入れたチューブ（５）の弾力によって、チューブ（５）自体が溝（２）の壁に押し付けられ、固定されるサイズにする。
（ハ）  フロントフック（６）を付ける位置に、チューブ（５）を曲げないでフロントフック（６）が付くように、図２  の様に、半球形の凹み（１６）を付ける。
（ニ）  図２  の様に、フリーフックシステム（１３）を接続する金具（３）を、溝（２）の前方に固定する。
（ホ）  金具（３）は、ルアーの種類や形状、材質によってメインライン（８）とルアー本体（１）を接続するルアーアイ（１７）と一体にしたり、または別々にする。
（ヘ）  従来ルアー本体に固定していたフックアイを廃止して、図１の様に、金具（３）にライン（４）を結び付け、柔軟で弾力性のあるチューブ（５）の中に通し、フロントフック（６）のアイにチューブ（５）を通し、リアフック（７）のアイにライン（４）を結び付け、フリーフックシステム（１３）が完成する。
（ト）  完成したフリーフックシステム（１３）をルアー本体（１）の溝（２）の金具（３）に接続した部分から、ルアー本体（１）のリアフック（７）の部分に向かって、溝（２）の中にはめこむと、チューブ（５）の弾力と溝（２）の口を狭くしている事により、フリーフックシステムが一時的に固定され、図３  の様なフリーフックシステム・ルアーが、完成する。
本発明は、以上のような構成よりなるフリーフックシステム・ルアーである。
請求項２の説明
（イ）  図４  の様にルアー本体（１）と、溝（２）の構造は請求項１と同じ様にしてメインライン（８）と接続するルアーアイ（１７）の所から溝（２）の前方に穴（９）を通し、金属製のチューブアイ（１０）を、穴（９）の前方から入れ固定する。
（ロ）  図４  の様に、メインライン（８）をチューブアイ（１０）に入れ、溝（２）の前方の穴（９）から出しラインストッパー（１１）に通し、次にチューブ（５）に通し、フロントフック（６）のアイにチューブ（５）を通し、チューブ（５）から出たメインライン（８）をリアフック（７）のアイに結び付けると、請求項２のフリーフックシステム２（１４）が完成する。
（ハ）  ラインストッパー（１１）を前後にずらし、溝（２）の長さとフリーフックシステム２（１４）の長さを合わせて、ラインストッパー（１１）の先を穴（９）に入れメインライン（８）を止めて、チューブ（５）を溝（２）に押し込み入れると、請求項２のフリーフックシステム・ルアーが完成する。
本発明は、以上のような構成よりなるフリーフックシステム・ルアーである。
請求項３の説明
（イ）  図５  の様にルアー本体（１）と、溝（２）の構造は請求項１と同じ様にしてメインライン（８）と接続するルアーアイ（１１）の所から溝（２）の前方に穴（９）を通し、金属製のチューブアイ（１０）を、穴（９）の前方から入れ固定する。
（ロ）  図５  の様に、メインライン（８）をチューブアイ（１１）に入れ、溝（２）の前方の穴（９）から出し、スプリットリング（１２）に結び付ける。
（ハ）  チューブ（５）にライン（４）を通し、両端をループアイにする。
（ニ）  図６の様に、リアフック（７）のアイにループアイを通し、このループアイにもう片方のループアイを通して接続し、ループアイとチューブ（５）をフロントフック（６）のアイに通し、このループアイをスプリットリング（１２）に接続して、請求項３のフリーフックシステム３（１５）が完成する。
（ホ）  スプリットリング（１２）と、チューブ（５）を溝（２）に押し込み入れると、請求項３のフリーフックシステム・ルアーが完成する。
本発明は、以上のような構成よりなるフリーフックシステム・ルアーである。
請求項１、２、３、の本発明を使用すると、
このフリーフックシステム・ルアーは、通常ルアーの溝（２）にフリーフックシステムを収納し、固定しているので、ルアーの動きを妨げることがなく、フックに魚が掛りある一定のテンションが掛ると、ルアー本体（１）の溝（２）に収納し、一時的に固定されているフリーフックシステムが、溝（２）から離れ自由に動く事で、魚が暴れても、フックはルアー本体（１）の影響を受けず、バラシが激減する。またフロントフック（６）は、フリーフックシステムが溝（２）に収納されているときは、フリーフックシステムと溝（２）によって固定されているが、フリーフックシステムが溝（２）から離れ自由に動く事で、フロントフック（６）はフリーになり、このフロントフック（６）に魚が掛った場合は、図１の様にリアフック（７）の場所に移動するのでルアー本体（１）の影響を受けず、バラシが激減する。またリアフック（７）に魚が掛った場合もフロントフック（６）は、リアフック（７）の場所に移動するので、魚の口以外の場所を傷付けない。また釣り場の状況や対象魚によって、フリーフックシステムのライン（４）を変える事が出来るので、根掛かりしそうな時は、ルアーと接続しているメインライン（８）より強度の弱いライン（４）を使うとフックにより根掛かりしても、メインラインより先にフリーフックシステムのラインが切れる事で、ルアー本体を回収することができ、環境にも優しくなる。
ルアー本体にフックを近づけ、魚が掛かるとフックがルアーから離れるようにした事により、フッキング率を下げずに、根掛かりを減らすという相反する課題を解決した。
【発明を実施するための最良の形態】
【０００５】  以下、本発明の実施の形態について説明する。
請求項１の説明
（イ）  従来ルアー本体に固定していたフックアイを廃止して、図２  の様に、ルアー本体（１）のフックの付く側に、動くようにしたフリーフックシステム（１３）の、チューブ（５）が入る長さ、  幅、深さの溝（２）を作る。
（ロ）  溝（２）は、ルアー本体（１）を作るときに、一体化して作る。
（ハ）  ルアー本体（１）の材質に強度や弾力性、柔軟性、等が無い場合は、溝（２）の部分だけか、または溝（２）の部分と金具（３）やリップ、ルアーアイなどを、プラスチックや金属で一体にして作り、ルアー本体（１）に後付けするか、ルアー本体（１）を作るときに、埋め込み付ける様にする。
（ニ）  図２  の様に、溝（２）のフリーフックシステ厶（１３）を  出し入れする口は、チューブ（５）の直径より狭くして、溝（２）の内側は、入れたチューブ（５）の弾力によってチューブ（５）自体が溝（２）の内壁に押し付けられ、固定されるサイズにする。
（ホ）  溝（２）の口の幅は、ルアー本体（１）に使用する材質によってかえ、材質が柔らかくなるにしたがい、口の幅を狭くしていく。
（ヘ）  溝（２）の口の縁は、少し丸みを付けチューブ（５）やライン（４）を傷付けないようにする。
（ト）  溝（２）の長さはルアーの種類や形状、サイズに合わせ出来る限り長くする。リップの無いルアーで、メインラインとルアー本体（１）を接続するルアーアイ（１７）により、ルアーの動きを調整しておらず、ルアーの動きに影響が出ないルアーの場合は、このルアーアイ（１７）の所まで溝（２）を作っても良い。
（チ）  図２  の様に、フロントフック（６）を付ける位置に、チューブ（５）を曲げないでフロントフック（６）が付くように、フロントフック（６）のアイが入る大きさの半球形の凹み（１６）を付ける。
（リ）  半球形の凹み（１６）は、フロントフック（６）が無いルアーの場合は、無くても良く、リアフック（７）以外のフックが、複数付く場合は、そのフックの数だけ凹み（１６）を付ける。
（ヌ）  凹み（１６）を、図８  、図９  、の様にしてさらにフロントフック（６）の動きを小さくしても良い。
（ル）  半球形の凹み（１６）は、フロントフック（６）が有るタイプのルアーでも図１０の様に無くしてもよい。この時フロントフック（６）の取り付けはソフトアイのフックを使うか
従来のフックを使う場合は、図１１のようにしてチューブ（５）を曲げて、フロントフック（６）を取り付ける。
（ヲ）  図２  の様に、フリーフックシステム（１３）を接続する金具（３）を、溝（２）の前方に固定する。
（ワ）  金具（３）は、ルアーの種類や形状、材質によってメインライン（８）とルアー本体（１）を接続するルアーアイ（１７）と一体にしたり、または別々にする。
（カ）  金具（３）は、ルアー本体（１）を作るときに、埋め込み付ける様にする。
（ヨ）  金具（３）を、図１２の様に溝（２）の外から中にかけて、縦向きに付けても良い。
（タ）  金具（３）を、図１３の様に溝（２）の外に、横向きに付けても良い。
（レ）  金具（３）を、図１４の様に溝（２）に凹みを付けて、その中に縦向きに付けても良い。
（ソ）  従来ルアー本体に固定していたフックアイを廃止して、図１の様に、金具（３）にライン（４）を結び付け、柔軟で弾力性のあるチューブ（５）の中に通し、フロントフック（６）のアイにチューブ（５）を通し、リアフック（７）のアイにライン（４）を結び付け、フリーフックシステム（１３）が完成する。
（ツ）  フリーフックシステム（１３）に使用するライン（４）は、ルアー本体（１）と接続しているメインライン（８）と同じ物にするか、ナイロンライン、フロロカーボンライン、ＰＥライン、ブレイテッドライン、などの釣り用のラインや、新素材で出来たラインで、細くても強く柔軟なラインで、使用するメインライン（８）と同じ強度か、それ以上の物を使う。
（ネ）  ライン（４）に、細い金属線を使う事も出来る。
（ナ）  フックにより根掛かりしても、ルアー本体を回収することができる様にするときに使用するライン（４）は、メインライン（８）より強度の弱いラインで、メインライン（８）と同じメーカーの、同じ種類のラインを使い、またメインライン（８）とライン（４）の強度の差が大きいほど、ルアー本体の回収率が高く、またリールのドラグの強さをメインライン（８）でなく、ライン（４）に合わせておくと魚が掛かってもラインブレイクしないで、魚を釣ることが出来る。
（ラ）  チューブ（５）は、ゴム、合成ゴム、ナイロン、ビニール、などの柔軟で弾力性のあるチューブで、低温でも硬くなりにくい材質の物を使う。
（ム）  チューブ（５）は、ルアー本体（１）と同じ色や、違う色の物を釣り場の状況に合わせて使い、とくに夜間、蛍光色、蓄光の物を使うと良い。
（ウ）  チューブ（５）は、材質や肉厚を変える事により、溝（２）の中に一時的に固定する強さを変えることが出来るので、釣り場の状況に合わせて変えると良い。
（ヰ）  チューブ（５）の長さは、金具（３）から溝（２）の後端までにする。
（ノ）  チューブ（５）の長さを、釣り場の状況に合わせて変えて、長くしたり、短くしたりして使うこともできる。この時ライン（４）の長さも合わせて変える。
（オ）  フロントフック（６）、リアフック（７）は、従来のバーブ付きのトリプルフック、ダブルフック、シングルフックでも良いが、バーブレスフックを使うと危険が少なく、リリースも素早く出来る。とくにリアフック（７）は、バーブレスフックのシングルフックを使うと良い。
（ク）  フロントフック（６）、リアフック（７）に、アイの部分が柔軟な素材で出来た、ソフトアイのフックを使っても良く、リアフック（７）にはアイの無いフックを使っても良い。
（ヤ）  フロントフック（６）のアイの大きさは、チューブ（５）の直径より大きい物を使い、チューブ（５）を通したフロントフック（６）が前後に動く様にする。さらにフロントフック（６）にシングルフックを使う時は、フックポイントに対しアイが横向きの物を使う。
（マ）  金具（３）とリアフック（７）を、ライン（４）に接続するのに、クリンチノット、ユニノット、等で結び付ける。またはループノット等でアイを作り、接続することもできる。
（ケ）  フロントフック（６）、リアフック（７）に、スプリットリングを付け、従来の様な使い方も出来る。
（フ）  金具（３）とライン（４）の間にスプリットリング、スウィベル、スナップスウィベル、スナップ、等を使い接続しても良い。
（コ）  完成したフリーフックシステム（１３）をルアー本体（１）の溝（２）の金具（３）に接続した部分から、ルアー本体（１）のリアフック（７）の部分に向かって、溝（２）の中にはめこむと、チューブ（５）の弾力と溝（２）の口を狭くしている事により、フリーフックシステムが一時的に固定され、図３  の様なフリーフックシステム・ルアーが、完成する。
（エ）  図１５の様に、ライン（４）とチューブ（５）を短くして、リアフック（７）も溝（２）に一時的に固定することにより、フッキング率を下げずに、根掛かりを減らす事が出来、図１６の様にすると、さらに根掛かりを減らす事が出来る。
（テ）  このフリーフックシステムは、ミノープラグ、リップレスミノー、バイブレーションプラグ、ジグ、ジグミノー、スプーン、などルアーのタイプやバルサ、ウッド、低発泡樹脂、プラスチック、ソフトプラスチック、など素材に関係なく、従来ルアーにフックを付けるアイやフックが固定されていたルアーは、このフリーフックシステムルアーにすることが出来る。
請求項２の説明
（イ）  図４  の様にルアー本体（１）と、溝（２）の構造は請求項１と同じ様にしてメインライン（８）と接続する従来ルアーアイ（１７）のある所から溝（２）の前方に穴（９）を通し、金属製のチューブアイ（１０）を、穴（９）の前方から入れ固定する。
（ロ）  穴（９）は、出来る限り直線的に通した方がよいが、ルアーの形や構造上、直線的に通せないときは、中に通すメインライン（８）が前後に動く範囲で曲げて溝（２）の前方に穴（９）を通す。
（ハ）  チューブアイ（１０）の長さは、穴（９）の前の方だけにするか、溝（２）の前方にまでチューブアイ（１０）を通すかは、ルアー本体（１）の形や構造、材質に合わせてきめる。
（ニ）  チューブアイ（１０）の両端は、メインライン（８）を傷付けない様に丸く処理する。
（ホ）  チューブアイ（１０）を、上下左右に曲げる事により、従来のルアーアイ（１７）と同じ様に、ルアーの動きの微調整ができる。
（ヘ）  図４  の様に、メインライン（８）をチューブアイ（１０）に入れ、溝（２）の前方の穴（９）から出しラインストッパー（１１）に通し、次にチューブ（５）に通し、フロントフック（６）のアイにチューブ（５）を通し、チューブ（５）から出たメインライン（８）をリアフック（７）のアイに結び付けると、請求項２のフリーフックシステム２（１４）が完成する。
（ト）  ラインストッパー（１１）は、穴（９）側は小さく、フリーフックシステム２（１４）側は大きいテーパー形にしてメインライン（８）が前には動かないが、後ろには動くようにする。
（チ）  ラインストッパー（１１）を前後にずらし、溝（２）の長さとフリーフックシステム２（１４）の長さを合わせて、ラインストッパー（１１）の先を穴（９）に入れメインライン（８）を止めて、チューブ（５）を溝（２）に押し込み入れると、請求項２のフリーフックシステム・ルアーが完成する。
（リ）  請求項２のフリーフックシステム・ルアーは、メインライン（８）とルアー本体（１）は完全には接続しておらず、キャスティングやリトリーブ時はメインライン（８）は動かず、魚が掛かりフリーフックシステムが外れるとメインライン（８）は、魚側には動くため、フリーフックシステムはより自由に動き、ぎょしんがダイレクトに伝わる。またルアー本体（１）には魚の力が掛からないため、今まで強度が無く使えなかった素材が使え、構造にも自由度が増し、新しいルアーを作れる。
（ヌ）  フックにより根掛かりしても、ルアー本体を回収できる様にするときには、ラインストッパー（１１）より後に使用するメインライン（８）より強度の弱いライン（４）を、接続すると良い。
（ル）  その他の構造、材質、機能、効果等は、請求項１と同じである。
請求項３の説明
（イ）  図５  の様にルアー本体（１）と溝（２）、チューブアイ（１０）の構造は請求項２と同じ。
（ロ）  図５  の様に、メインライン（８）をチューブアイ（１０）に入れ、溝（２）の前方の穴（９）から出し，スプリットリング（１２）に結び付ける。
（ハ）  スプリットリング（１２）は、丸または結び目の位置が安定するオーバルタイプの物を使い、溝（２）に入るサイズにする。
また、より強い繋ぎ目のないリングやオーバルリングを使っても良い。
（ニ）  スプリットリング（１２）は、穴（９）の径よりも大きいサイズにする。
（ホ）  チューブ（５）にライン（４）を通し、両端をループアイにする。
（ヘ）  ループアイは、前側はスプリットリング（１２）に通る大きさで、後ろ側はチューブ（５）が通る大きさにして、ライン（４）の種類により、結ぶ、接着、中通し加工、などの方法でつくる。
（ト）  図６の様に、リアフック（７）のアイにループアイを通し、このループアイにもう片方のループアイを通して接続し、ループアイとチューブ（５）をフロントフック（６）のアイに通し、このループアイをスプリットリング（１２）に接続して、請求項３のフリーフックシステ厶３（１５）が完成する。
（チ）  また図７の様に、後ろ側のループアイをリアフック（７）が通る大きさにして、スプリットリング（１２）にループアイを通し、このループアイにもう片方のループアイを通して接続し、フロントフック（６）のアイにチューブ（５）を通し、リアフック（７）のアイにループアイを通し、このループアイにリアフック（７）を通して接続する事もできる。
（リ）  スプリットリング（１２）と、チューブ（５）を溝（２）に押し込み入れると、請求項３のフリーフックシステ厶・ルアーが完成する。
（ヌ）  請求項３のフリーフックシステム３（１５）は、請求項１や請求項２にも使う事ができ、また請求項１や請求項２のフリーフックシステムを請求項３に使うことも出来る。
（ル）  その他の構造、材質、機能、効果等は、請求項１や請求項２と同じである。
請求項１，２，３，の本発明を使い以下のようなフリーフックシステムや、フリーフックシステム・ルアーも作る事ができる。
（イ）  図１７の様に、強くて形くずれしない金属線（１８）をチューブ（５）に通し、金属線の両端をスナップ（２２）にして、ルアーやフックの付け外しを簡単にしたフリーフックシステム。
ューブ（５）のかわりに、ゴムや合成樹脂などで金属線をコーティングしても良く、または金属線だけでも良い。
金属線（１８）のかわりに、ワイヤーを使っても良い。
（ロ）  強くて形くずれしない金属線（１８）をチューブ（５）に通し、金属線の片方をスナップ（２２）にして、もう片方をアイにした、フリーフックシステム。
逆向きに使う事もでき、アイにスプリットリングを付けて、ルアーやフックと接続しても良く、またチューブ（５）のかわりにゴムや合成樹脂などで金属線をコーティングしても良く、または金属線だけでも良い。
金属線（１８）のかわりに、ワイヤーを使っても良い。
（ハ）  強くて形くずれしない金属線（１８）をチューブ（５）に通し、金属線の両端をアイにしてスプリットリングを付けた、フリーフックシステム。
なおチューブ（５）のかわりに、ゴムや合成樹脂などで金属線をコーティングしても良く、または金属線だけでも良い。
金属線（１８）のかわりに、ワイヤーを使っても良い。
（ニ）  図１８の様に、強くて形くずれしない金属線（１８）で、フリーフックシステムの金具（３）に付ける部分を、バネ（１９）にして先端をルアー本体に固定し、金属線の片方をスナップ（２２）にして、リアフック（７）を付ける。
フリーフックシステムが外れてもバネの作用で元に戻る様にした、フリーフックシステム。
（ホ）  図１９の様に、強くて形くずれしない金属線（１８）をチューブ（５）に通し、フリーフックシステムの金具（３）に付ける部分を、バネ（１９）にして先端をルアー本体の下に延ばしリアフック（７）を付ける金属線の片方をスナップ（２２）にした、フックガード（２０）付きフリーフックシステム。
なおチューブ（５）のかわりに、ゴムや合成樹脂などで金属線をコーティングしても良く、または金属線だけでも良い。
（ヘ）  図２０の様に金具（３）をリアフック（７）側に固定して、フリーフックシステムを接続し、溝に収納する、フリーフックシステム・ルアー。
（ト）  フロントフック（６）をフリーフックシステムにして溝に収納し、リアフック（７）を従来の方法で接続したフリーフックシステム・ルアー。
フリーフックシステムは、請求項１や、ルアーアイ（１７）をチューブアイ（１０）にして請求項２，３，を使う事ができ、またその他の実施例のフリーフックシステムにしても良い。
（チ）  図２１の様に、フリーフックシステムをフロントフック（６）とリアフック（７）に分け、別々に動くようにフリーフックシステムを接続し、溝に収納する、フリーフックシステム・ルアー。
フリーフックシステムは、請求項１や、ルアーアイ（１７）をチューブアイ（１０）にして請求項２，３，にしても良く、またその他の実施例のフリーフックシステムにしても良い。
前と後ろのフリーフックシステムを同じにしたり、または前と後ろのフリーフックシステムを違う物にして、複数のフリーフックシステムを組み合わせても良い。
（リ）  図２２の様に、フリーフックシステ厶をフロントフック（６）とリアフック（７）に分け、フロントフック（６）を下側に付けて、リアフック（７）を上側に付け、ルアー本体（１）の溝（２）もフリーフックシステムに合わせて、上下に付けたフリーフックシステム・ルアー。
フリーフックシステムは、請求項１や、ルアーアイ（１７）をチューブアイ（１０）にして請求項２，３，にしても良く、またその他の実施例のフリーフックシステムにしても良い。
前と後ろのフリーフックシステムを同じにしたり、または前と後ろのフリーフックシステムを違う物にして、複数のフリーフックシステムを組み合わせても良い。
図２３の様に、リアフック（７）を溝に一時的に固定しても良い。
図２４の様に、フリーフックシステムをルアーアイ（１７）に接続しても良い。
（ヌ）  図２５の様に、リップの無いルアーの場合フリーフックシステムを、ルアーアイ（１７）に接続しても良い。
また、フリーフックシステムをフロントフック（６）とリアフック（７）に分け、フロントフック（６）を下側に付けて、リアフック（７）を上側に付けたり、この逆にした場合も二つのフリーフックシステムを、ルアーアイ（１７）に接続しても良い。
（ル）  溝の中に磁性体を固定し、フリーフックシステムを、鉄製の金属線で作り、フリーフックシステムの一時的な固定と、外れても、元の状態に戻る様にした、フリーフックシステム・ルアー。
磁気化タングステンをルアーのウエイトとして使い、これをフリーフックシステムの、一時的な固定と、外れても、元の状態に戻るための磁性体として共用しても良い。
（ヲ）  ルアー本体の溝にマジックテープを接着して、チューブにもマジックテープを接着するか、またはマジックテープでチューブを作り、フリーフックシステムの一時的な固定をすることができる。
（ワ）  ルアー本体にマジックテープを接着して、フリーフックシステムを挟み込むようにもう一つのマジックテープを付ける事により、フリーフックシステムの一時的な固定をすることができる。
（カ）  図２６の様に、溝（２）に、凸（２１）を付けて、フリーフックシステムの一時的な固定をすることができる。
（ヨ）  シャンクを長くしたフックをフリーフックシステムにして、金具（３）に接続しても良く、また従来のフックをライン（４）と直接結び付けたり、中通し加工などの方法で作ったフリーフックシステムを金具（３）に接続しても良い。
また従来のフックをフリーフックシステムにしても良い。
【発明の効果】
【０００６】  以下、本発明の効果について説明する。
（イ）  このフリーフックシステム・ルアーは、通常ルアーの溝（２）にフリーフックシステムを収納し、固定しているため、キャスティングの時、空気の抵抗を受けずルアーの飛距離を落とすことがなく、着水のショックでフリーフックシステムが外れたり絡んだりしない。また着水後リトリーブを開始しても、水の抵抗を受けないため、ルアーの動きを妨げることがない。
（ロ）  スプリットリングは使わず、フック（６）（７）をセットしているので従来の物より、ルアーにフックが近くなり、またフックの動きが小さくなる。このため、根掛かりやスレ掛かりが減り、フッキングが良くなる。
（ハ）  フリーフックシステムは、チューブ（５）でカバーされており、スプリットリングを使わずフック（６）（７）をセットしているため、ルアーをリトリーブしても音がせず、魚にプレッシャーを与えない。
（ニ）  フリーフックシステ厶・ルアーは、フックに魚が掛り、ある一定のテンションが掛ると、ルアー本体（１）の溝（２）に収納し、一時的に固定されているフリーフックシステムが、溝（２）から離れ自由に動くため、ショートバイトの時、フックが弾かれること無く、魚の口の中でホールドされる時間が長くなり、確実にフックアップする。またファイト中に、魚が暴れても、フリーフックシステムが、溝（２）から離れ自由に動く事で、フック（６）（７）はルアー本体（１）の影響を受けず、バラシが激減する。
（ホ）  フロントフック（６）は、フリーフックシステムが溝（２）に収納されているときは、チューブ（５）と溝（２）によって固定されているが、フリーフックシステムが溝（２）から離れ自由に動く事で、フロントフック（６）はフリーになり、このフロントフック（６）に魚が掛った場合は、図１の様にリアフック（７）の場所に移動するためルアー本体（１）の影響を受けないので、バラシが激減する。またリアフック（７）に魚が掛った場合もフロントフック（６）は、リアフック（７）の場所に移動するため、魚の口以外の場所を傷付けない。
（ヘ）  フックが一か所に集まる事により、リリースの時、他のフックが魚体を傷付けたり、人の指に刺さったりせず、フックが外しやすく、リリースが素早くできる。
（ト）  フリーフックシステムは、ライン（４）をチューブ（５）でカバーしているため、魚体とライン（４）を傷付けない。
（チ）  ルアーを魚に飲まれ、口の奥の方にフックが掛かっても、フリーフックシステムが、離れ自由に動くため、ルアーの本体（１）が、じゃまにならず、フックが外しやすくなり、素早くリリースが出来る。
（リ）  スプリットリングを使わないでフックを接続しているため、フックの交換が、工具等を使わなくても出来、また種類やサイズを変えた時、フックどおしが絡んだりするトラブルを防ぐ事ができる。
（ヌ）  釣り場の状況や対象魚によって、フリーフックシステムのライン（４）を変える事が出来、ルアーと接続しているメインライン（８）より、強度の強いラインにしたり、また根掛かりしそうな時は、メインライン（８）より、強度の弱いラインを使うとフックにより根掛かりしても、メインラインより先にフリーフックシステムのラインが切れる。このため、ルアー本体を回収することができ、環境にも優しくなる。
（ル）  図１５の様にライン（４）とチューブ（５）を短くして、リアフック（７）も溝（２）に一時的に固定することにより、フッキング率を下げずに、根掛かりを減らす事が出来、また図１６の様にすると、さらに根掛かりを減らす事が出来る。
（ヲ）  ルアー本体にフックを近づけ、魚が掛かるとフックがルアーから離れるようにした事により、バラシを減らし、フッキング率を下げないで根掛かりを減らすという、相反する課題を解決した。
（ワ）  フッキングが良く、ファイト中のバラシも少なく、フックの交換や調整も簡単なため、トリプルフックをバーブレスにしたり、シングルフックやバーブレス・シングルフックを安心して使え、これらの普及が進み、人と魚に優しいルアーに、出来る。
（カ）  ルアー本体に、魚の力や重量が掛からないため、今まで強度が無く使えなかった素材を使う事ができ、また構造にも自由度が増し、従来に無い新しいルアーを作る事ができる。
【図面の簡単な説明】
【図１】本発明の斜視図である。
【図２】本発明のルアー本体の斜視図である。
【図３】本発明のルアー本体にフリーフックシステムをセットした状態の斜視図である。
【図４】本発明の請求項２の斜視図である。
【図５】本発明の請求項３の斜視図である。
【図６】本発明の請求項３のフリーフックシステムの斜視図である。
【図７】本発明の請求項３のフリーフックシステムの他の実施例を示す斜視図である。
【図８】本発明の凹みの他の実施例を示す斜視図である。
【図９】本発明の凹みの他の実施例を示す斜視図である。
【図１０】本発明の溝の他の実施例を示す斜視図である。
【図１１】本発明のフロントフックの取り付け方の他の実施例を示す斜視図である。
【図１２】本発明の金具の他の実施例を示す斜視図である。
【図１３】本発明の金具の他の実施例を示す斜視図である。
【図１４】本発明の金具の他の実施例を示す斜視図である。
【図１５】本発明のリアフックの取り付け方の他の実施例を示す斜視図である。
【図１６】本発明のフロントフックとリアフックの取り付け方の他の実施例を示す斜視図である。
【図１７】本発明のフリーフックシステムの他の実施例を示す斜視図である。
【図１８】本発明のフリーフックシステムの他の実施例を示す斜視図である。
【図１９】本発明のフリーフックシステムの他の実施例を示す斜視図である。
【図２０】本発明の他の実施例を示す側面図である。
【図２１】本発明の他の実施例を示す側面図である。
【図２２】本発明の他の実施例を示す側面図である。
【図２３】本発明の他の実施例を示す側面図である。
【図２４】本発明の他の実施例を示す側面図である。
【図２５】本発明の他の実施例を示す側面図である。
【図２６】本発明の溝の他の実施例を示す斜視図である。
【符号の説明】
１  ルアー本体    ２  溝    ３  金具    ４  ライン
５  チューブ    ６  フロントフック    ７  リアフック
８  メインライン    ９  穴    １０  チューブアイ
１１  ラインストッパー    １２  スプリットリング
１３  請求項１のフリーフックシステム
１４  請求項２のフリーフックシステム２
１５  請求項３のフリーフックシステム３
１６  凹み    １７  ルアーアイ    １８  金属線
１９  バネ    ２０  フックガード    ２１  凸
２２  スナップ
【図１】
2005080657.tif 000003
【図２】
2005080657.tif 000004
【図３】
2005080657.tif 000005
【図４】
2005080657.tif 000006
【図５】
2005080657.tif 000007
【図６】
2005080657.tif 000008
【図７】
2005080657.tif 000009
【図８】
2005080657.tif 000010
【図９】
2005080657.tif 000011
【図１０】
2005080657.tif 000012
【図１１】
2005080657.tif 000013
【図１２】
2005080657.tif 000014
【図１３】
2005080657.tif 000015
【図１４】
2005080657.tif 000016
【図１５】
2005080657.tif 000017
【図１６】
2005080657.tif 000018
【図１７】
2005080657.tif 000019
【図１８】
2005080657.tif 000020
【図１９】
2005080657.tif 000021
【図２０】
2005080657.tif 000022
【図２１】
2005080657.tif 000023
【図２２】
2005080657.tif 000024
【図２３】
2005080657.tif 000025
【図２４】
2005080657.tif 000026
【図２５】
2005080657.tif 000027
【図２６】
2005080657.tif 000028